(57)【特許請求の範囲】
【請求項１】
用紙の紙種を検出する紙種センサと制御部と画像読取を行う読取部とを備え、
情報処理装置と通信可能に接続されており、
前記制御部は、
前記紙種センサで検出された前記紙種に基づいて、用紙の用途を特定し、当該特定された用途に基づいて、前記読取部で行われる前記画像読取のモードを設定するモード設定手段と、
前記読取部で読み取られた画像を含む画像ファイルに前記紙種の情報を記録する記録手段と、
前記紙種の情報が記録されている前記画像ファイルを前記情報処理装置に転送する転送手段と、
前記情報処理装置から転送された、起動するアプリケーション、前記読取部で読み取られた画像を格納するためのフォルダ、および用紙の用途のうちの少なくとも１つの情報を登録する登録手段と、
を備えたこと、
を特徴とする画像読取装置。
【請求項２】
前記制御部は、
前記紙種センサで検出された前記紙種に基づいて、用紙の用途を特定し、当該特定された用途に基づいて、起動するアプリケーションを設定するアプリ設定手段
をさらに備えたこと、
を特徴とする請求項１に記載の画像読取装置。
【請求項３】
前記制御部は、
前記紙種センサで検出された前記紙種に基づいて、用紙の用途を特定し、当該特定された用途に基づいて、前記読取部で読み取られた画像を格納するためのフォルダを設定するフォルダ設定手段
をさらに備えたこと、
を特徴とする請求項１または２に記載の画像読取装置。
【請求項４】
用紙の紙種を検出する紙種センサと制御部と画像読取を行う読取部とを備えた、情報処理装置と通信可能に接続されている画像読取装置の前記制御部で実行される、
前記紙種センサで検出された前記紙種に基づいて、用紙の用途を特定し、当該特定された用途に基づいて、前記読取部で行われる前記画像読取のモードを設定するモード設定ステップと、
前記読取部で読み取られた画像を含む画像ファイルに前記紙種の情報を記録する記録ステップと、
前記紙種の情報が記録されている前記画像ファイルを前記情報処理装置に転送する転送ステップと、
前記情報処理装置から転送された、起動するアプリケーション、前記読取部で読み取られた画像を格納するためのフォルダ、および用紙の用途のうちの少なくとも１つの情報を登録する登録ステップと、
を含むこと、
を特徴とする設定自動化方法。
【請求項５】
用紙の紙種を検出する紙種センサと制御部と画像読取を行う読取部とを備えた、情報処理装置と通信可能に接続されている画像読取装置の前記制御部に実行させるための、
前記紙種センサで検出された前記紙種に基づいて、用紙の用途を特定し、当該特定された用途に基づいて、前記読取部で行われる前記画像読取のモードを設定するモード設定ステップと、
前記読取部で読み取られた画像を含む画像ファイルに前記紙種の情報を記録する記録ステップと、
前記紙種の情報が記録されている前記画像ファイルを前記情報処理装置に転送する転送ステップと、
前記情報処理装置から転送された、起動するアプリケーション、前記読取部で読み取られた画像を格納するためのフォルダ、および用紙の用途のうちの少なくとも１つの情報を登録する登録ステップと、
を含むこと、
を特徴とする設定自動化プログラム。
【発明の詳細な説明】
【技術分野】
【０００１】
本発明は、例えばスキャナ、コピー機、ファクシミリなどの画像読取装置、当該画像読取装置で実行される設定自動化方法および当該画像読取装置に実行させるための設定自動化プログラムに関する。
【背景技術】
【０００２】
従来技術として、非特許文献１には、光の反射係数で紙質を判断し、紙質に適したカラーマッチングを行い印刷する製品が開示されている。また、スキャナにおいて、用紙のサイズによる解像度の自動判定および原稿に付いている色の面積によるモノカラー識別の自動判断は、実施されている。
【０００３】
なお、その他の従来技術としては、非特許文献２および特許文献１から特許文献６に開示されている技術が挙げられる。
【０００４】
特許文献１には、ＡＤＦ（Ａｕｔｏｍａｔｉｃ  Ｄｏｃｕｍｅｎｔ  Ｆｅｅｄｅｒ）を用いたＯＣＲ（Ｏｐｔｉｃａｌ  Ｃｈａｒａｃｔｅｒ  Ｒｅａｄｅｒ）での複数フォーマット一括処理方式に関する技術が開示されている。特許文献２には、イメージスキャナ装置を接続した情報処理装置において、読み込んだ個別のイメージデータの種類に応じて個々のイメージデータ処理に係わるアプリケーションプログラムを自動的に起動させるイメージデータ処理システムおよびイメージデータ処理方法に関する技術が開示されている。特許文献３には、読み取る原稿が反射原稿であるか透過原稿であるかを自動判別し、その種類に応じた適切な処理を実施する画像読み取りシステム及び画像読み取りシステムの制御プログラムに関する技術が開示されている。
【０００５】
特許文献４には、ニューラルネットワークを用いて印刷装置の印刷モードを選択する方法およびシステムに関する技術が開示されている。特許文献５には、スキャン画像に対し、テキスト、白黒／カラーおよび画像等の情報から、それぞれの形式に設定されている処理を実行する方法およびシステムに関する技術が開示されている。特許文献６には、文字属性や画像属性を使用してスキャンしたデータの仕分けを行い、設定したフォルダへ振り分ける方法等に関する技術が開示されている。
【先行技術文献】
【特許文献】
【０００６】
【特許文献１】特開平１０−５５４１７号公報
【特許文献２】特開平１０−２７５２０９号公報
【特許文献３】特開２００２−３６６９４２号公報
【特許文献４】米国特許出願公開第２００２／０１５６７５４号明細書
【特許文献５】米国特許出願公開第２００２／０１９６４７９号明細書
【特許文献６】米国特許出願公開第２００１／００４２０８５号明細書
【非特許文献】
【０００７】
【非特許文献１】株式会社日経ＢＰのウェブサイトのＵＲＬ：“ｈｔｔｐ：／／ｗｗｗ．ｎｉｋｋｅｉｂｐ．ｃｏ．ｊｐ／ａｒｃｈｉｖｅｓ／１１３／１１３９５３．ｈｔｍｌ”
【非特許文献２】コダック株式会社のウェブサイトのＵＲＬ：“ｈｔｔｐ：／／ｗｗｗｃａ．ｋｏｄａｋ．ｃｏｍ／ＪＰ／ｊａ／ｂｕｓｉｎｅｓｓ／ｓｐｅｃｉａｌ／ｂｅｎｅｆｉｔ／ｋｏｒｉｔｓｕ．ｓｈｔｍｌ”
【発明の概要】
【発明が解決しようとする課題】
【０００８】
しかしながら、スキャナ等の画像読取装置を使用する際には読取モードの設定のような煩わしい設定が必要である問題点があり、使い勝手の点で改善の余地が残されている。
【０００９】
本発明は、上記に鑑みてなされたものであって、使い勝手の向上を図ることができる画像読取装置、設定自動化方法および設定自動化プログラムを提供することを目的とするものである。
【課題を解決するための手段】
【００１０】
上述した課題を解決し、目的を達成するために、本発明に係る画像読取装置は、用紙の紙種を検出する紙種センサと制御部と画像読取を行う読取部とを備え、前記制御部は、前記紙種センサで検出された前記紙種に基づいて、前記読取部で行われる前記画像読取のモードを設定するモード設定手段を備えたこと、を特徴とする。
【００１１】
また、本発明に係る画像読取装置は、前記の画像読取装置において、前記制御部は、前記紙種センサで検出された前記紙種に基づいて、起動するアプリケーションを設定するアプリ設定手段をさらに備えたこと、を特徴とする。
【００１２】
また、本発明に係る画像読取装置は、前記の画像読取装置において、前記制御部は、前記紙種センサで検出された前記紙種に基づいて、前記読取部で読み取られた画像を格納するためのフォルダを設定するフォルダ設定手段をさらに備えたこと、を特徴とする。
【００１３】
また、本発明に係る画像読取装置は、前記の画像読取装置において、情報処理装置と通信可能に接続されており、前記制御部は、前記読取部で読み取られた画像を含む画像ファイルに前記紙種の情報を記録する記録手段と、前記紙種の情報が記録されている前記画像ファイルを前記情報処理装置に転送する転送手段と、前記情報処理装置から転送された前記アプリケーション、前記フォルダおよび前記用紙の用途のうちの少なくとも１つの情報を登録する登録手段と、をさらに備えたこと、を特徴とする。
【００１４】
また、本発明は設定自動化方法に関するものであり、本発明に係る設定自動化方法は、用紙の紙種を検出する紙種センサと制御部と画像読取を行う読取部とを備えた画像読取装置の前記制御部で実行される、前記紙種センサで検出された前記紙種に基づいて、前記読取部で行われる前記画像読取のモードを設定するモード設定ステップを含むこと、を特徴とする。
【００１５】
また、本発明は設定自動化プログラムに関するものであり、本発明に係る設定自動化プログラムは、用紙の紙種を検出する紙種センサと制御部と画像読取を行う読取部とを備えた画像読取装置の前記制御部に実行させるための、前記紙種センサで検出された前記紙種に基づいて、前記読取部で行われる前記画像読取のモードを設定するモード設定ステップを含むこと、を特徴とする。
【００１６】
また、本発明は記録媒体に関するものであり、本発明に係るコンピュータ読み取り可能な記録媒体は、本発明に係る前記の設定自動化プログラムを記録したことを特徴とする。
【発明の効果】
【００１７】
本発明によれば、制御部は、紙種センサで検出された紙種に基づいて、読取部で行われる画像読取のモードを設定する。これにより、読取モードの設定のような煩わしい面倒な設定が自動化されるので、画像読取装置の使い勝手の向上を図ることができる、という効果を奏する。
【００１８】
また、本発明によれば、制御部は、紙種センサで検出された紙種に基づいて、起動するアプリケーションを設定する。これにより、読取後に起動するアプリケーションの選択のような煩わしい面倒な設定が自動化されるので、画像読取装置の使い勝手のさらなる向上を図ることができる、という効果を奏する。
【００１９】
また、本発明によれば、制御部は、紙種センサで検出された紙種に基づいて、読取部で読み取られた画像を格納するためのフォルダを設定する。これにより、画像の格納場所の指定のような煩わしい面倒な設定が自動化されるので、画像読取装置の使い勝手のさらなる向上を図ることができる、という効果を奏する。
【００２０】
また、本発明によれば、制御部は、読取部で読み取られた画像を含む画像ファイルに紙種の情報を記録し、紙種の情報が記録されている画像ファイルを情報処理装置に転送し、情報処理装置から転送されたアプリケーション、フォルダおよび用紙の用途のうちの少なくとも１つの情報を登録する。これにより、紙種をパラメータとして画像を表示することが可能となり、用紙の新たな用途、起動アプリケーションおよび格納フォルダの情報を簡単に設定することができる、という効果を奏する。
【図面の簡単な説明】
【００２１】
【図１】図１は、画像読取装置および情報処理装置の構成の一例を示すブロック図である。
【図２】図２は、画像読取装置の構成の一例を示す図である。
【図３】図３は、仕分けしたい用紙の特徴および起動したいアプリケーションの一例を示す図である。
【図４】図４は、画像読取装置で実行されるメイン処理の一例を示すフローチャートである。
【図５】図５は、情報処理装置で実行されるメイン処理の一例を示すフローチャートである。
【図６】図６は、紙種およびサイズをパラメータとした画像のビューワ表示の一例を示す図である。
【図７】図７は、紙種およびサイズをパラメータとした画像のビューワ表示の他の一例を示す図である。
【発明を実施するための形態】
【００２２】
以下に、本発明に係る画像読取装置、設定自動化方法および設定自動化プログラムの実施形態を、図面に基づいて詳細に説明する。なお、本実施形態により本発明が限定されるものではない。
【００２３】
［１．本実施形態の構成］
本実施形態に係る画像読取装置および情報処理装置の構成について、図１および図２を参照して説明する。図１は、画像読取装置および情報処理装置の構成の一例を示すブロック図である。図２は、画像読取装置の構成の一例を示す図である。
【００２４】
画像読取装置１００は、具体的にはスキャナ、コピー機、ファクシミリなどである。画像読取装置１００は、本発明の紙種センサを含むセンサ群１０２と読取部１０４と制御部１０６と通信インターフェース部１０８と、を備える。画像読取装置１００は、情報処理装置２００と通信可能に接続されている。
【００２５】
センサ群１０２は、用紙の紙種（具体的には、紙質、光沢、厚み、白色度、色、反射率、透過率など）および用紙のサイズ（具体的には長さ、幅、Ａ４、Ｂ５など）を検出する機構であり、厚みセンサ１０２ａと光沢センサ１０２ｂとサイズセンサ１０２ｃと色味センサ１０２ｄと全体的なサイズを検出するエリアセンサ１０２ｅと、を含む。
【００２６】
読取部１０４は、後述する設定部１０６ａが設定した読取モード（具体的には、読取速度（搬送速度）、解像度、明るさ／コントラスト、カラー／モノクロなど）またはデフォルトの読取モードに従って、用紙の画像読取を行う機構である。
【００２７】
ここで、センサ群１０２と読取部１０４の位置関係の一例について、図２に示す。用紙の紙種およびサイズを当該用紙の画像読取前にセンシングするために、センサ群１０２は、図示の如く、用紙の搬送路近傍で且つ読取部１０４の位置よりも上流に、配置される。
【００２８】
図１に戻り、通信インターフェース部１０８は、画像読取装置１００を情報処理装置２００に通信可能に接続する。通信インターフェース部１０８は、情報処理装置２００と通信回線を介してデータを通信する機能を有する。
【００２９】
制御部１０６は、画像読取装置１００を統括的に制御するＣＰＵ等からなる。制御部１０６は、制御プログラムと各種の処理手順等を規定したプログラムと所要データとを格納するための内部メモリを有し、これらプログラムに基づいて種々の処理を実行するための情報処理を行う。
【００３０】
制御部１０６は、本発明のモード設定手段、アプリ設定手段およびファイル設定手段を含む設定部１０６ａと、画像形成部１０６ｂと、本発明の記録手段を含む画像処理部１０６ｃと、転送部１０６ｄと、登録部１０６ｅと、を備える。
【００３１】
設定部１０６ａは、センサ群１０２で検出された紙種およびサイズに基づいて、当該紙種および当該サイズに適した読取モード、起動アプリ（情報処理装置２００で起動するアプリケーション）および格納フォルダ（後述する画像処理部１０６ｃで作成された画像ファイルを格納するための情報処理装置２００内のフォルダ（例えば“マイピクチャ”フォルダなど））を設定する。
【００３２】
具体的には、設定部１０６ａは、紙種およびサイズに基づいて、用紙の用途（具体的には、レシート、写真、はがき、学校からのお知らせ、など）を所定の判定基準に従って判定し、判定された用途に基づいて、当該用途に適した読取モード、起動アプリおよび格納フォルダを設定する。なお、用紙の用途は、特許第３４１３８８９号公報に開示されているように、色、反射率および透過率などから推定してもよい。また、所定の判定基準の一例は、［２．本実施形態の処理］にて詳細に説明する。また、設定部１０６ａは、紙種およびサイズの情報または用途の情報に基づいて、用途と紙種・サイズと起動アプリと格納フォルダとの対応関係に関する予め設定された対応表を参照して、起動アプリおよび格納フォルダを設定する。具体的には、設定部１０６ａは、図３に示す対応表を参照して、起動アプリを設定してもよい。
【００３３】
図１に戻り、画像形成部１０６ｂは、読取部１０４で用紙が読み取られた結果生成された電気信号から、当該用紙が写し出された画像を形成する。画像処理部１０６ｃは、画像形成部１０６ｂで形成された画像を含む画像ファイル（例えばＪＰＥＧファイルなど）を作成したり、作成した画像ファイルにセンサ群１０２で検出された紙種およびサイズの情報を記録したりするなどの画像処理を行う。具体的には、画像処理部１０６ｃは、ＪＰＥＧファイルのヘッダ部分に、紙種およびサイズの情報を記録する。
【００３４】
転送部１０６ｄは、設定部１０６ａで設定された起動アプリおよび格納フォルダの情報および画像処理部１０６ｃで作成された画像ファイルを、情報処理装置２００に転送する。登録部１０６ｅは、予め設定された対応表に、情報処理装置２００から転送された用途、起動アプリおよび格納フォルダの情報を、紙種およびサイズの情報と対応付けて登録する。
【００３５】
情報処理装置２００は、画像読取装置１００と通信可能に接続されているパーソナルコンピュータである。情報処理装置２００は、制御部２０２と通信インターフェース部２０４と記憶部２０６と入出力インターフェース部２０８とを備えており、これら各部は任意の通信路を介して通信可能に接続されている。
【００３６】
通信インターフェース部２０４は、情報処理装置２００を、画像読取装置１００や他の端末に通信可能に接続する。通信インターフェース部２０４は、通信回線を介して画像読取装置１００や他の端末とデータを通信する機能を有する。
【００３７】
記憶部２０６は、ストレージ手段であり、画像読取装置１００から転送された画像ファイルを格納するための画像ファイル記憶部２０６ａを含む。
【００３８】
入出力インターフェース部２０８は、入力装置２１２や出力装置２１４を情報処理装置２００と接続する。ここで、出力装置２１４には、モニタ（家庭用テレビを含む）の他、スピーカやプリンタを用いることができる。なお、以下では、出力装置２１４をモニタ２１４として記載する場合がある。入力装置２１２には、キーボードやマウスやマイクの他、マウスと協働してポインティングデバイス機能を実現するモニタを用いることができる。
【００３９】
制御部２０２は、情報処理装置２００を統括的に制御するＣＰＵ等からなる。制御部２０２は、ＯＳ等の制御プログラムと各種の処理手順等を規定したプログラムと所要データとを格納するための内部メモリを有し、これらプログラムに基づいて種々の処理を実行するための情報処理を行う。制御部２０２は、アプリ起動部２０２ａと格納実行部２０２ｂと表示実行部２０２ｃと設定部２０２ｄと転送部２０２ｅと、を備える。
【００４０】
アプリ起動部２０２ａは、画像読取装置１００から転送された起動アプリの情報で特定されるアプリケーションを起動する。格納実行部２０２ｂは、画像読取装置１００から転送された画像ファイルを、画像読取装置１００から転送された格納フォルダの情報で特定されるフォルダに格納する。表示実行部２０２ｃは、画像ファイルに含まれている画像を、当該画像ファイルに含まれている紙種およびサイズの情報をパラメータとしてモニタ２１４に表示（マッピング）する。
【００４１】
設定部２０２ｄは、パラメータ（紙種およびサイズ）に対して、用紙の用途、起動アプリおよび格納フォルダを設定する。転送部２０２ｅは、設定部２０２ｄで設定された用途、起動アプリおよび格納フォルダの情報を、画像読取装置１００に転送する。
【００４２】
［２．本実施形態の処理］
上述した構成の画像読取装置１００および情報処理装置２００で実行されるメイン処理の一例について、図４および図５等を参照して説明する。
【００４３】
［２−１．画像読取装置１００で実行されるメイン処理］
ここでは、画像読取装置１００で実行されるメイン処理の一例について、図４を参照して説明する。
【００４４】
まず、設定部１０６ａは、センサ群１０２で検出された厚み、光沢の有無およびサイズに基づいて、以下の判定基準に従って、用紙の用途を判定する（ステップＳＡ１）。
【００４５】
（判定基準）
１．厚みが２００μｍ未満であり、光沢がなく、サイズが定型（Ａ４）サイズであるときには、用途を“お知らせ”と判定する。
２．厚みが２００μｍ未満であり、光沢がなく、サイズが定型（Ａ４）サイズでないときには、用途を特定することができない（予め想定した用途（“レシート”、“写真”、“写真付きはがき”、“はがき”、“お知らせ”および“カード”）のいずれにも該当しない）ので、用途を“その他（１）”と判定する。
３．厚みが２００μｍ未満であり、光沢があり、サイズが幅５８ｍｍ未満であるときには、用途を“レシート”と判定する。
４．厚みが２００μｍ未満であり、光沢があり、サイズが幅５８ｍｍ未満でないときには、用途を特定することができないので、用途を“その他（２）”と判定する。
５．厚みが２００μｍ以上且つ５００μｍ未満であり、光沢があり、サイズが１２７×８９ｍｍであるときには、用途を“写真”と判定する。
６．厚みが２００μｍ以上且つ５００μｍ未満であり、光沢があり、サイズが１４０×１００ｍｍであるときには、用途を“写真付きはがき”と判定する。
７．厚みが２００μｍ以上且つ５００μｍ未満であり、光沢がなく、サイズが１４０×１００ｍｍであるときには、用途を“はがき”と判定する。
８．厚みが２００μｍ以上且つ５００μｍ未満であり、光沢がなく、サイズが１４０×１００ｍｍでないときには、用途を特定することができないので、用途を“その他（３）”と判定する。
９．厚みが５００μｍ以上であるときには、用途を“カード”と判定する。
【００４６】
つぎに、設定部１０６ａは、ステップＳＡ１で判定された用途に基づいて、当該用途に適した読取モード、起動アプリおよび格納フォルダのうちの少なくとも１つを設定する（ステップＳＡ２）。
【００４７】
具体的には、用途が“写真”と判定された場合には、設定部１０６ａは、読取モードとして、階調が綺麗に再現されるコントラスト設定（γ設定）を行う。また、写真表面に傷をつけないために、設定部１０６ａは、読取モードとして、遅めの搬送速度を設定する。また、設定部１０６ａは、起動アプリとして、フォトアルバムを設定する。また、人を写し出した写真を想定した場合には、人の肌色や赤目を自動的に補正してから写真をフォトアルバムに貼り付けるために、設定部１０６ａは、起動アプリとして、当該補正を行うレタッチソフトをさらに設定する。また、設定部１０６ａは、格納フォルダとして、“マイピクチャ”フォルダを設定する。
【００４８】
また、用途が“レシート”と判定された場合には、設定部１０６ａは、読取モードとして、解像度を３００ｄｐｉ以上としたモノクロ２値モードを設定する。また、設定部１０６ａは、起動アプリとして、ＯＣＲソフトおよび家計簿ソフトを設定する。また、設定部１０６ａは、格納フォルダとして、“レシート”フォルダを設定する。
【００４９】
また、用途が“はがき”または“写真付きはがき”と判定された場合には、設定部１０６ａは、読取モードとして、解像度が３００ｄｐｉのグレーモード（“はがき”の場合）または解像度が３００ｄｐｉのカラーモード（“写真付きはがき”の場合）を設定する。また、設定部１０６ａは、起動アプリとして、はがき管理ソフトを設定する。また、設定部１０６ａは、格納フォルダとして、“はがき”フォルダを設定する。
【００５０】
また、用途が“お知らせ”と判定された場合には、設定部１０６ａは、読取モードとして、解像度が２００ｄｐｉのモノクロ２値モードを設定する。また、設定部１０６ａは、起動アプリとして、クリップボードまたはスケジュール管理を設定する。また、設定部１０６ａは、格納フォルダとして、“お知らせ”フォルダを設定する。
【００５１】
また、用途が“カード”と判定された場合には、設定部１０６ａは、読取モードとして、搬送速度を遅くした、解像度が２００ｄｐｉのカラーモードを設定する。また、設定部１０６ａは、起動アプリとして、家計簿ソフトを設定する。また、設定部１０６ａは、格納フォルダとして、“レシート”フォルダを設定する。
【００５２】
また、用途が“その他（１）”、“その他（２）”または“その他（３）”と判定された場合（用途を特定できていない場合）には、画像ファイルの仕分け等の作業が情報処理装置２００で行えるように、設定部１０６ａは、起動アプリとしてビューワソフトを設定する。
【００５３】
つぎに、画像形成部１０６ｂは、ステップＳＡ２で設定された読取モード（ステップＳＡ１で用途を特定できなかった場合にはデフォルトの読取モード）に従って読取部１０４が用紙を読み取った結果生成された電気信号から、当該用紙が写し出された画像を形成し、画像処理部１０６ｃは、当該形成された画像を含み且つステップＳＡ１で検出された紙種およびサイズの情報が記録された画像ファイルを作成する（ステップＳＡ３）。
【００５４】
つぎに、転送部１０６ｄは、ステップＳＡ２で設定された起動アプリおよび／または格納フォルダの情報とステップＳＡ３で作成された画像ファイルとを、情報処理装置２００に転送する（ステップＳＡ４）。
【００５５】
なお、登録部１０６ｅは、情報処理装置２００で実行される後述するメイン処理のステップＳＢ５で転送された用途、格納フォルダおよび起動アプリの情報を、紙種およびサイズと対応付けて、予め設定した対応表に登録する。これにて、画像読取装置１００で実行されるメイン処理の説明を終了する。
【００５６】
［２−２．情報処理装置２００で実行されるメイン処理］
ここでは、画像読取装置１００で実行される上述したメイン処理に引き続いて情報処理装置２００で実行されるメイン処理の一例について、図５等を参照して説明する。
【００５７】
まず、画像読取装置１００から起動アプリおよび格納フォルダの情報と画像ファイルとが転送された場合には（ステップＳＢ１：Ｙｅｓ）、用紙の用途が特定されているということなので、アプリ起動部２０２ａは、転送された画像ファイルに対して、転送された起動アプリの情報で特定されるアプリケーションを起動し、格納実行部２０２ｂは、転送された画像ファイルを、転送された格納フォルダの情報で特定されるフォルダに格納する（ステップＳＢ２）。
【００５８】
一方、画像読取装置１００から起動アプリの情報と画像ファイルとが転送された場合（換言すると、格納フォルダの情報が転送されなかった場合）には（ステップＳＢ１：Ｎｏ）、用紙の用途が特定されていないということなので、格納実行部２０２ｂは、転送された画像ファイルを所定のフォルダに格納し、表示実行部２０２ｃは、転送された起動アプリの情報で特定されるビューワソフトを起動し、紙種およびサイズの情報をパラメータとして、当該所定のフォルダに格納されている画像ファイル中の画像を図６に示すような表示形式でモニタ２１４に表示する（ステップＳＢ３）。具体的には、表示実行部２０２ｃは、図６に示すように、厚みをＸ軸、サイズをＹ軸、光沢の有無をＺ軸とする座標系に、画像をマッピングする。なお、表示実行部２０２ｃは、図７に示すように、画像の取得時間を横軸、サイズを縦軸とする座標系に、複数の画像を時系列でマッピングしてもよい。用途が特定されていない用紙に関する画像がビューワソフトで表示されると、同じ用途の用紙同士が座標系上の特定の領域に集約されていることを確認することができる。
【００５９】
図５に戻り、設定部２０２ｄは、座標系上に画像が集約されている領域が存在する場合には、当該領域に対応する紙種およびサイズに対して、用紙の新たな用途、格納フォルダおよび起動アプリを設定する（ステップＳＢ４）。
【００６０】
転送部２０２ｅは、ステップＳＢ４で設定された用途、格納フォルダおよび起動アプリの情報を、画像読取装置１００に転送する（ステップＳＢ５）。
【００６１】
［３．本実施形態のまとめ、及び他の実施形態］
以上、本実施形態によれば、読取前に紙種およびサイズをセンシングし、センシングした紙種およびサイズに基づいて用紙の用途を判定し、判定した用途に基づいて読取モード、起動アプリおよび格納フォルダを設定する。
【００６２】
これにより、読取モードの設定、読取後に起動するアプリケーションの選択および画像の格納場所の指定のような煩わしい面倒な設定が自動化されるので、画像読取装置１００の使い勝手の向上を図ることができる。換言すると、紙種を事前に検出（識別）することで、最適な読取モードの設定および読取後に実行される各種処理（起動アプリの選択および格納フォルダの指定など）を自動化することが可能となるので、画像読取装置１００の使い勝手の向上を図ることができる。また、画像ファイルの仕分けに紙種およびサイズの情報を併用することで、今までより効率のよい仕分け方法を提供することができる。
【００６３】
また、本実施形態によれば、用途判定において用途が特定できなかった場合には、画像ファイルに紙種およびサイズの情報を記録し、ビューワソフトで確認する際に当該紙種およびサイズの情報をパラメータとして画像をマッピングし、特定のパラメータ領域に画像が集約されている場合には当該領域に対して新たな用途、起動アプリおよび格納フォルダを設定する。
【００６４】
これにより、紙種およびサイズをパラメータとして画像を表示することが可能となり、用紙の新たな用途、起動アプリケーションおよび格納フォルダの情報を簡単に設定することができる。
【００６５】
ここで、用途が特定できない用紙も、読取回数を重ねると、紙種およびサイズの傾向が現れてくる。例えば、レシピの用紙については“紙厚で、反射率が高く、Ｂ５サイズ”といった傾向が現れてくる。具体的には、紙種およびサイズをパラメータとして用紙の画像を表示すると、同じ用途の用紙が集約してマッピングされてくる。例えば、厚み、光沢およびサイズをパラメータとしてグルーピングすると、レシピの用紙の殆どが特定の領域に集約される。
【００６６】
そこで、当該集約の傾向を学習して、ある領域に集約されている画像をまとめてフォルダへ格納すれば、画像の検索や仕分けに掛かる作業負担を大きく改善することができる。具体的には、仕分けがされなかった画像ファイルも一定のルールで分類されるため、仕分け操作が容易となる。また、画像が集約されている領域をパラメータとした新たな用途を設定することも可能である。また、特定の領域にマッピングされる画像が多い場合には、当該領域に対して、起動アプリを設定することも可能である。
【００６７】
さらに、本発明は、上述した実施形態以外にも、特許請求の範囲に記載した技術的思想の範囲内において種々の異なる実施の形態にて実施されてよいものである。例えば、本実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。また、装置の分散・統合の具体的形態は図示するものに限られず、その全部または一部を、各種の付加等に応じて又は機能負荷に応じて任意の単位で機能的又は物理的に分散・統合して、構成することができる。また、本明細書や図面中で示した処理手順、制御手順、具体的名称、画面例などについては、特記する場合を除いて任意に変更することができる。
【００６８】
また、画像読取装置１００および情報処理装置２００に関して、図示の各構成要素は機能概念的なものであり、必ずしも物理的に図示の如く構成されていることを要しない。例えば、画像読取装置１００および情報処理装置２００がそれぞれ備える処理機能、特に制御部１０６および制御部２０２のそれぞれにて行われる各処理機能については、その全部または任意の一部を、ＣＰＵおよび当該ＣＰＵにて解釈実行されるプログラムにて実現してもよく、またワイヤードロジックによるハードウェアとして実現してもよい。なお、プログラムは、後述する記録媒体に記録されており、必要に応じて画像読取装置１００および情報処理装置２００のそれぞれに機械的に読み取られる。このプログラムは、ＲＡＭにロードされることによって実行され、ＣＰＵと協働して制御部を構成する。また、このプログラムは、画像読取装置１００および情報処理装置２００のそれぞれと任意のネットワークを介して接続されたアプリケーションプログラムサーバに記憶されていてもよく、必要に応じてその全部または一部をダウンロードすることも可能である。また、記憶部２０６（画像ファイル記憶部２０６ａ）は、各種処理を行うためのコンピュータプログラム、テーブル、ファイルおよびデータベース等を格納するストレージ手段であり、記憶部２０６として、例えば、ＲＡＭ・ＲＯＭ等のメモリ装置、ハードディスク等の固定ディスク装置、フレキシブルディスク、光ディスク等を用いることができる。
【００６９】
また、情報処理装置２００は、既知のパーソナルコンピュータ、ワークステーション等の情報処理装置（任意の周辺装置が接続されている情報処理装置を含む。）として構成してもよい。また、画像読取装置１００は、当該画像読取装置に本発明に係る設定自動化方法を実現させるソフトウェア（プログラム、データ等を含む）を実装することにより実現してもよい。また、本発明に係る設定自動化プログラムは、コンピュータ読み取り可能な記録媒体に格納してもよく、また、プログラム製品として構成することができる。ここで、「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤおよびＢｌｕ−ｒａｙ  Ｄｉｓｃ等の任意の「可搬用の物理媒体」を含むものとする。また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【産業上の利用可能性】
【００７０】
以上のように、本発明に係る画像読取装置、設定自動化方法及び設定自動化プログラムは、産業上の多くの分野、特にスキャナを扱う画像処理分野で実施することができ、極めて有用である。
【符号の説明】
【００７１】
１００  画像読取装置
１０２  センサ群
１０２ａ  厚みセンサ
１０２ｂ  光沢センサ
１０２ｃ  サイズセンサ
１０２ｄ  色味センサ
１０２ｅ  エリアセンサ
１０４  読取部
１０６  制御部
１０６ａ  設定部
１０６ｂ  画像形成部
１０６ｃ  画像処理部
１０６ｄ  転送部
１０６ｅ  登録部
１０８  通信インターフェース部
２００  情報処理装置
２０２  制御部
２０２ａ  アプリ起動部
２０２ｂ  格納実行部
２０２ｃ  表示実行部
２０２ｄ  設定部
２０２ｅ  転送部
２０４  通信インターフェース部
２０６  記憶部
２０６ａ  画像ファイル記憶部
２０８  入出力インターフェース部
２１２  入力装置
２１４  出力装置
【図１】
0005634133.tif 000002
【図２】
0005634133.tif 000003
【図３】
0005634133.tif 000004
【図４】
0005634133.tif 000005
【図５】
0005634133.tif 000006
【図６】
0005634133.tif 000007
【図７】
0005634133.tif 000008